(57)【特許請求の範囲】
【請求項１】
室の下部に設けられ全面に多数の給気孔を有する床部材およびこの床部材の上面に設けられた通気性カーペットもしくは穴明きカーペットと、前記床部材の下部に形成される給気チャンバーと、前記給気チャンバーの端部に設けられ、前記給気チャンバー内に空調空気を吹き出す吹出口とを備え、前記給気チャンバー内に吹き出された空調空気を、前記全面に多数の給気孔を有する床部材およびこの床部材の上面に設けられた通気性カーペットもしくは穴明きカーペットを通じて室内に供給する床吹出し方式の空調装置であって、
前記吹出口の前面に、前記吹出口近傍の有効開口面積を狭める棒状の抵抗帯を前記吹出口を囲むように配置し、前記抵抗帯の高さを前記給気チャンバー内部の高さの１／２〜２／３とし、前記抵抗帯から下流の前記給気チャンバー内の気流分布を均一化して床下差圧の均一化を図るようにしたことを特徴とする床吹出し空調装置。
【発明の詳細な説明】
【技術分野】
【０００１】
本発明は、床下から通気性タイルカーペットおよび床吹出し口を通じて空調空気を室内に供給する床吹出し空調装置に関するものである。
【背景技術】
【０００２】
従来、床下から空調空気を室内に供給する床吹出し空調装置が知られている（例えば、特許文献１、２参照）。
【０００３】
特許文献１のような空調装置では、図７（１）に示すように、全面に多数の給気孔（不図示）を有する床部材１下の隅側端部の吹出口２から二重床３の内部に空調用の気流４を片側吹き出し方式で吹き込み、床部材１からその上の通気性タイルカーペット５または穴明きタイルカーペットを通じて空調空気を室内に供給する。この場合、図７（２）に示すように、二重床３の内部の気流４は壁面に沿って流れ、当該気流部分の圧力は高くなる傾向にある。
【先行技術文献】
【特許文献】
【０００４】
【特許文献１】特開２００９−２６４６３８号公報
【特許文献２】特開平１０−１７００６１号公報
【発明の概要】
【発明が解決しようとする課題】
【０００５】
ところで、全面床吹出し空調装置の場合においては、通気性タイルカーペットとして従来品よりも安価な軽量型タイルカーペットを用いた場合の床下差圧分布は、図７（３）に示すように、図７（２）と同様の傾向となることが本発明者らの研究によって明らかとなった。この場合、最大差圧が軽量型タイルカーペットの重量から計算される許容最大圧力に近くなり、軽量型タイルカーペットが床面から剥離するおそれがある。
【０００６】
また、部分床吹出し空調装置の場合においても、床下差圧分布は図７（２）と同様の傾向となるため、床吹出し口の取付位置により吹出し風量の不均一な状態が発生するおそれがある。
【０００７】
このように全面床吹出し空調装置の最大差圧が許容最大圧力に近い場合には、家具等により通気性のある床面が塞がれたり、床下にケーブルなどが敷設されると床下差圧がさらに増大することから、上限差圧（許容最大圧力）を超える事態が予想され、最悪の場合には軽量型タイルカーペットが床面から剥離するおそれがある。また、部分床吹出し空調装置の場合も、各個の床吹出し口から得られる風量が均一にならない事態が予想される。このため、床下差圧の均一化を図ることが可能な技術の開発が望まれていた。
【０００８】
本発明は、上記に鑑みてなされたものであって、床下差圧の均一化を図ることが可能な床吹出し空調装置を提供することを目的とする。
【課題を解決するための手段】
【０００９】
上記した課題を解決し、目的を達成するために、本発明の請求項１に係る床吹出し空調装置は、室の下部に設けられ全面に多数の給気孔を有する床部材およびこの床部材の上面に設けられた通気性カーペットもしくは穴明きカーペットと、前記床部材の下部に形成される給気チャンバーと、前記給気チャンバーの端部に設けられ、前記給気チャンバー内に空調空気を吹き出す吹出口とを備え、前記給気チャンバー内に吹き出された空調空気を、前記全面に多数の給気孔を有する床部材およびこの床部材の上面に設けられた通気性カーペットもしくは穴明きカーペットを通じて室内に供給する床吹出し方式の空調装置であって、前記吹出口の前面に、前記吹出口近傍の有効開口面積を狭める棒状の抵抗帯を前記吹出口を囲むように配置し、前記抵抗帯の高さを前記給気チャンバー内部の高さの１／２〜２／３とし、前記抵抗帯から下流の前記給気チャンバー内の気流分布を均一化して床下差圧の均一化を図るようにしたことを特徴とする。
【発明の効果】
【００１２】
本発明によれば、室の下部に設けられ全面に多数の給気孔を有する床部材およびこの床部材の上面に設けられた通気性カーペットもしくは穴明きカーペットと、または、室の下部に設けられた床部材と床仕上材を貫通して取付けられた床吹出し口と、前記床部材の下部に形成される給気チャンバーと、前記給気チャンバーの端部に設けられ、前記給気チャンバー内に空調空気を吹き出す吹出口とを備え、前記給気チャンバー内に吹き出された空調空気を、前記全面に多数の給気孔を有する床部材およびこの床部材の上面に設けられた通気性カーペットもしくは穴明きカーペットを通じて、または、前記床部材と床仕上材を貫通して取付けられた床吹出し口を通じて室内に供給する床吹出し方式の空調装置であって、前記吹出口の前面に、前記吹出口近傍の有効開口面積を狭める抵抗帯を設けたので、抵抗帯は吹出口からの気流を妨げるように作用する。このため、給気チャンバー壁面に沿って流れる気流の勢いが弱められ、抵抗帯から下流の給気チャンバー内の気流分布が均一化される。したがって、床下差圧の均一化を図ることができるという効果を奏する。
【図面の簡単な説明】
【００１３】
【図１】図１は、本発明に係る床吹出し空調装置の実施例１を示す平断面図である。
【図２】図２は、図１のＡ−Ａ線に沿った断面図である。
【図３】図３は、本発明に係る床吹出し空調装置の実施例２を示す平断面図である。
【図４】図４は、図３のＢ−Ｂ線に沿った断面図である。
【図５】図５は、抵抗帯の配置レイアウトを示す平断面図である。
【図６】図６は、従来と本発明の床下差圧分布を示す平断面図である。
【図７】図７は、従来の全面床吹出し空調装置の床下差圧分布を示す平断面図である。
【発明を実施するための形態】
【００１４】
以下に、本発明に係る床吹出し空調装置の実施の形態（実施例１および２）を図面に基づいて詳細に説明する。ここで、実施例１は、全面床吹出し方式の空調装置の場合、実施例２は、部分床吹出し方式の空調装置の場合である。なお、これら実施例によりこの発明が限定されるものではない。
【００１５】
［実施例１］
まず、実施例１（全面床吹出し方式の空調装置）を説明する。
図１および図２に示すように、本発明の実施例１に係る床吹出し空調装置１０は、全面床吹出し方式の空調装置であり、室１２の下部に設けられ、全面に多数の給気孔（不図示）を有する床部材１４と、床部材１４の上面に設けられた通気性タイルカーペットまたは穴明きタイルカーペット１６（通気性カーペットまたは穴明きカーペット）と、床部材１４の下部に二重床として形成される直方体状の給気チャンバー１８とを備えている。
【００１６】
給気チャンバー１８の隅側端部には、ファン（不図示）から送り込まれる空調空気を給気チャンバー１８内に片側吹き出し方式で吹き出す吹出口２０が設けてある。給気チャンバー１８内に吹き出された空調空気は、床部材１４および通気性タイルカーペットまたは穴明きタイルカーペット１６を通じて室１２内に供給されるようになっている。
【００１７】
吹出口２０の前面には、この近傍の有効開口面積を狭める棒状の抵抗帯２２が室幅全体にわたって直線状に配置してある。ここで、抵抗帯２２の高さｈは、給気チャンバー１８内部の高さＨの１／２〜２／３程度とすることが好ましい。
【００１８】
抵抗帯２２が吹出口２０からの気流を妨げるので、給気チャンバー１８壁面に沿って流れる気流の勢いが弱められ、抵抗帯２２から下流の給気チャンバー１８内の気流分布が均一化される。これにより、床下差圧の均一化を図ることが可能である。
【００１９】
また、抵抗帯２２を設けることで気流が均一化し、最大風速が下がることで床下の最大差圧を下げることができる。これにより、軽量型の通気性タイルカーペットまたは穴明きタイルカーペット１６などが床部材１４から剥離することを防止できる。さらに、床面からの吹出風量のばらつきが抑制されて気流が均等となるので、室内に快適な空調環境を作り出すことができる。
【００２０】
また、この抵抗帯２２は、図５に示すように、吹出口２０の前面を囲むように配置することもできる。例えば、吹出口２０の前方にＤだけ離れた場所に、抵抗帯２２ａを室の幅方向に配置するとともに、吹出口２０の開口端から外方にＬだけ離れた場所（吹出口幅よりもＬだけ長くした場所）に、抵抗帯２２ｂを室の奥行き方向に配置してもよい。この場合、Ｄは０．５〜１ｍ程度、Ｌは１ｍ以上とするのが好適である。
【００２１】
図６は、抵抗帯を室幅全体にわたって直線状に設けた本発明（図１の構成に相当）の床下差圧分布と、抵抗帯を設けない従来方式の床下差圧分布を比較したものである。この図６に示すように、抵抗帯を設けない従来方式では、壁際が高圧の偏った差圧分布となっている。これに対し、本発明の場合は、従来方式の場合よりも差圧分布の均一化が図られる結果、最大差圧が低下することが判る。
【００２２】
このように、片側吹き出し方式のような場合でも床下差圧のばらつきを抑制することで、床下差圧の均一化を図ることが可能である。また、最大差圧が低下するので軽量型の通気性タイルカーペットなどが床部材から剥離することを防止できる。さらに、床面からの吹出風量のばらつきが抑制されて気流が均等となるので、室内に快適な空調環境を作り出すことができる。
【００２３】
［実施例２］
次に、実施例２（部分床吹出し方式の空調装置）を説明する。
図３および図４に示すように、本発明の実施例２に係る床吹出し空調装置２３は、部分床吹出し方式の空調装置であり、室１２の下部に設けられた床部材２４と、床部材２４の上面に設けられた床仕上材２５と、床部材２４と床仕上材２５を貫通して取付けられた床吹出し口２６とで構成されている。床部材２４の下部には二重床として形成される直方体状の給気チャンバー１８が設けられている。
【００２４】
給気チャンバー１８の隅側端部には、ファン（不図示）から送り込まれる空調空気を給気チャンバー１８内に片側吹き出し方式で吹き出す吹出口２０が設けてある。給気チャンバー１８内に吹き出された空調空気は、床部材２４および床仕上材２５を貫通して取付けられた床吹出し口２６を通じて室１２内に供給されるようになっている。
【００２５】
吹出口２０の前面には、この近傍の有効開口面積を狭める棒状の抵抗帯２２が室幅全体にわたって直線状に配置してある。ここで、抵抗帯２２の高さｈは、上記の実施例１と同様に、給気チャンバー１８内部の高さＨの１／２〜２／３程度とすることが好ましい。また、この抵抗帯２２は、図５に示すように、吹出口２０の前面を囲むように配置することもできる。
【００２６】
上記の実施例１と同様に、抵抗帯２２が吹出口２０からの気流を妨げるので、給気チャンバー１８壁面に沿って流れる気流の勢いが弱められ、抵抗帯２２から下流の給気チャンバー１８内の気流分布が均一化される。これにより、床下差圧の均一化を図ることが可能である。
【００２７】
また、抵抗帯２２を設けることで給気チャンバー１８の気流分布が均一化され、床吹出し口２６から吹出す気流が均等となることから、部分床吹出し空調装置２３の各所に配置された床吹出し口２６個々での吹出し風量の調整用装置が不要となり、室内に快適な空調環境を作り出すことができる。
【００２８】
以上説明したように、本発明によれば、室の下部に設けられ全面に多数の給気孔を有する床部材およびこの床部材の上面に設けられた通気性カーペットもしくは穴明きカーペットと、または、室の下部に設けられた床部材と床仕上材を貫通して取付けられた床吹出し口と、前記床部材の下部に形成される給気チャンバーと、前記給気チャンバーの端部に設けられ、前記給気チャンバー内に空調空気を吹き出す吹出口とを備え、前記給気チャンバー内に吹き出された空調空気を、前記全面に多数の給気孔を有する床部材およびこの床部材の上面に設けられた通気性カーペットもしくは穴明きカーペットを通じて、または、前記床部材と床仕上材を貫通して取付けられた床吹出し口を通じて室内に供給する床吹出し方式の空調装置であって、前記吹出口の前面に、前記吹出口近傍の有効開口面積を狭める抵抗帯を設けたので、抵抗帯は吹出口からの気流を妨げるように作用する。このため、給気チャンバー壁面に沿って流れる気流の勢いが弱められ、抵抗帯から下流の給気チャンバー内の気流分布が均一化される。したがって、床下差圧の均一化を図ることができる。
【産業上の利用可能性】
【００２９】
以上のように、本発明に係る床吹出し空調装置は、床下から通気性タイルカーペットや穴明きタイルカーペットもしくは床吹出し口などを通じて空調空気を室内に供給する空調装置に有用であり、特に、床下差圧の均一化を図るのに適している。
【符号の説明】
【００３０】
１０  全面床吹出し空調装置
１２  室
１４  床部材
１６  通気性タイルカーペットまたは穴明きタイルカーペット（通気性カーペットまたは穴明きカーペット）
１８  給気チャンバー
２０  吹出口
２２，２２ａ，２２ｂ  抵抗帯
２３  部分床吹出し空調装置
２４  床部材
２５  床仕上材
２６  床吹出し口
【図１】
0005881976.tif 000002
【図２】
0005881976.tif 000003
【図３】
0005881976.tif 000004
【図４】
0005881976.tif 000005
【図５】
0005881976.tif 000006
【図６】
0005881976.tif 000007
【図７】
0005881976.tif 000008